(57)【要約】【課題】携帯端末の携帯電話網からの着信に対する動作を、近傍に位置する車載装置の状態に応じて携帯端末において制御する。【解決手段】携帯端末１００は、近距離通信により車載装置２００と通信する近距離通信部１５０と、携帯電話網Ｔと通信する電話網通信部１２０と、近距離通信部１５０を介して車載装置２００から車両状態情報を取得する車両状態監視部１３２と、車両状態監視部１３２が取得した車両状態情報に基づいて、車載装置２００の状態を判断する状態判断部１３４と、電話網通信部１２０に着信があったとき、車載装置２００の状態別にあらかじめ定義された、着信時の動作を行うモード制御部１３６とを備える。これにより、携帯端末１００の携帯電話網Ｔからの着信時の動作を、近傍に位置する車載装置２００から取得した車両状態情報に基づいて制御できる。【選択図】図１
2010081419.tif 000002
【特許請求の範囲】
【請求項１】
近距離通信により外部装置と通信する第一通信部と、
携帯電話網と通信する第二通信部と、
前記第一通信部を介して前記外部装置から状態情報を取得する状態監視手段と、
前記状態監視手段が取得した状態情報に基づいて、前記外部装置の状態を判断する状態判断手段と、
前記第二通信部に着信があったとき、前記外部装置の状態別にあらかじめ定義された、着信時の動作を行う動作制御手段とを備えることを特徴とする携帯端末。
【請求項２】
前記動作制御手段が行った着信時の動作の内容を、前記第一通信部を介して前記外部装置へ通知する第一報知手段をさらに備えることを特徴とする請求項１に記載の携帯端末。
【請求項３】
前記第一報知手段は、前記状態監視手段が前記外部装置の状態の変化を検知したとき、当該変化後の状態において前記動作制御手段が着信時に行う動作の内容を示す情報を、前記第一通信部を介して前記外部装置へ通知することを特徴とする請求項２に記載の携帯端末。
【請求項４】
前記第二通信部に着信があったとき、当該着信の発信元に対して、前記外部装置の状態を示す情報を通知する第二報知手段をさらに備えることを特徴とする請求項１から３のいずれか１項に記載の携帯端末。
【請求項５】
前記状態監視手段が前記第一通信部による前記外部装置との通信の切断を検知したとき、前記動作制御手段が、着信時に行う動作の内容を、前記第一通信部により前記外部装置と接続する前の状態に設定することを特徴とする請求項１から４のいずれか１項に記載の携帯端末。
【請求項６】
検知対象の状態を検知するセンサが接続された検知装置であって、
携帯電話網と通信する携帯端末と近距離通信により通信する第一通信部と、
前記第一通信部を介して前記携帯端末へ前記センサより取得した前記検知対象の状態を示す状態情報を送信する状態情報送信手段と、
前記携帯端末が前記携帯電話網からの着信時に、前記状態情報に基づいて行った動作の内容を、前記携帯端末から前記第一通信部を介して受信して、報知する携帯端末状態報知手段とを備えることを特徴とする検知装置。
【請求項７】
車両に搭載されており、上記センサが該車両を検知対象とすることを特徴とする請求項６に記載の検知装置。
【請求項８】
請求項６または７に記載の検知装置と、該検知装置を外部装置とする請求項１から５のいずれか１項に記載の携帯端末とを含むことを特徴とする携帯端末制御システム。
【請求項９】
携帯電話網と通信するとともに、近距離通信により外部装置と通信する携帯端末の制御方法であって、
前記外部装置から状態情報を取得する状態監視ステップと、
前記状態監視ステップにて取得した状態情報に基づいて、前記外部装置の状態を判断する状態判断ステップと、
前記携帯電話網から着信があったとき、前記外部装置の状態別にあらかじめ定義された、着信時の動作を行う動作制御ステップとを含むことを特徴とする携帯端末の制御方法。
【請求項１０】
検知対象の状態を検知するセンサが接続されるとともに、携帯電話網と通信する携帯端末と近距離通信により通信する検知装置の制御方法であって、
前記携帯端末へ前記センサより取得した前記検知対象の状態を示す状態情報を送信する状態情報送信ステップと、
前記携帯端末が前記携帯電話網からの着信時に、前記状態情報に基づいて行った動作の内容を、前記携帯端末から受信して、報知する携帯端末状態報知ステップとを含むことを特徴とする検知装置の制御方法。
【請求項１１】
請求項１から５のいずれか１項に記載の携帯端末としてコンピュータを機能させるための携帯端末制御プログラムであって、コンピュータを上記各手段として機能させるための携帯端末制御プログラム。
【請求項１２】
請求項１１に記載の携帯端末制御プログラムを記録したコンピュータ読み取り可能な記録媒体。
【請求項１３】
請求項６または７に記載の検知装置としてコンピュータを機能させるための検知装置制御プログラムであって、コンピュータを上記各手段として機能させるための検知装置制御プログラム。
【請求項１４】
請求項１３に記載の検知装置制御プログラムを記録したコンピュータ読み取り可能な記録媒体。
【発明の詳細な説明】
【技術分野】
【０００１】
本発明は、携帯端末の携帯電話網からの着信に対する動作を制御可能な携帯端末、携帯端末の制御方法、検知装置、検知装置の制御方法、携帯端末制御システム、携帯端末制御プログラム、検知装置制御プログラム、コンピュータ読み取り可能な記録媒体に関するものである。
【背景技術】
【０００２】
従来、携帯電話機をはじめとする携帯端末は、機能が高度化してきており広く普及している。また、携帯端末が通信を行う際に利用する通信設備も整備されてきており、基地局の通信エリア内であれば、いつでも通信を行うことができる。すなわち、携帯端末のユーザは、基地局の通信エリア内であれば、歩いているときでも、静止しているときでも、携帯端末により電話通信、電子メール通信といった各種通信を行うことができる。また、携帯端末が基地局の通信エリア内にあるときは、ユーザが車両等の乗り物を運転中であったとしても、携帯端末による通信を行うことができる。
【０００３】
しかしながら、ユーザが乗り物を運転しているときに電話等の着信があると、ユーザが携帯端末の操作に気をとられてしまい、運転が疎かになって危険である。この問題に対処するため、携帯端末には、ユーザが乗り物を運転している間において、携帯端末の着信動作に気をとられないようにするための機能を有するものがある。
【０００４】
代表的なものとしては、携帯端末において着信操作を禁止するとともに、発呼者に対しては運転中である旨の応答メッセージを通知するといった機能がある（例えば、特許文献１）。このようなユーザの運転に配慮した機能のことを、以降ではドライブモード機能と称する。
【０００５】
他にもドライブモード機能として、種々の技術が提案されている。
【０００６】
例えば、特許文献２では、着信時に運転操作がドライバにとって負荷の大きな状態であれば呼出音を強制的に停止し、必要に応じ応答できない旨を相手側に報知できるようにする技術が公開されている。具体的には、携帯電話の着信時に車の車速センサ、舵角センサ、パーキングブレーキセンサ、バックライトセンサ等の出力から、運転操作を行うドライバにとっての負荷を判断し、応答できないことを通知する技術である。
【０００７】
また、特許文献３では、携帯型電話機の動作状態を自動的に切り替えることにより、運転中の携帯型電話機本体の使用を確実に抑止するための技術が開示されている。具体的には、車両のエンジンの起動を検知すると、携帯電話機の着信動作の制御を開始する装置が開示されている。
【特許文献１】特開平１１−２５２６４２号公報（１９９９年９月１７日公開）
【特許文献２】特開平１０−２９４９６５号公報（１９９８年１１月４日公開）
【特許文献３】特開２００１−１９７５５６号公報（２００１年７月１９日公開）
【発明の開示】
【発明が解決しようとする課題】
【０００８】
しかしながら、上記従来の構成では、携帯端末に搭載されるドライブモード等マナーモードに関する機能は、外部装置の命令により動作するため、外部装置と比較して頻繁に新機種を利用する可能性の高い携帯端末の機能に沿った動作、あるいはユーザの好みに応じたきめ細かな設定を反映した動作を実現することが困難であるという問題があった。すなわち、携帯端末の機能やユーザの実際の利用状況を考慮して、実際に受話ができない（望ましくない）時のみ、着信を禁止する等の動作を自動で行うことができなかった。
【０００９】
本発明は、上記の問題点に鑑みてなされたものであり、その目的は、携帯端末の携帯電話網からの着信に対する動作を、近傍に位置する外部装置の状態に応じて携帯端末において制御することができる携帯端末、携帯端末の制御方法、検知装置、検知装置の制御方法、携帯端末制御システム、携帯端末制御プログラム、検知装置制御プログラム、コンピュータ読み取り可能な記録媒体を実現することにある。
【課題を解決するための手段】
【００１０】
上記課題を解決するために、本発明に係る携帯端末は、近距離通信により外部装置と通信する第一通信部と、携帯電話網と通信する第二通信部と、前記第一通信部を介して前記外部装置から状態情報を取得する状態監視手段と、前記状態監視手段が取得した状態情報に基づいて、前記外部装置の状態を判断する状態判断手段と、前記第二通信部に着信があったとき、前記外部装置の状態別にあらかじめ定義された、着信時の動作を行う動作制御手段とを備えることを特徴としている。
【００１１】
また、本発明に係る携帯端末の制御方法は、携帯電話網と通信するとともに、近距離通信により外部装置と通信する携帯端末の制御方法であって、前記外部装置から状態情報を取得する状態監視ステップと、前記状態監視ステップにて取得した状態情報に基づいて、前記外部装置の状態を判断する状態判断ステップと、前記携帯電話網から着信があったとき、前記外部装置の状態別にあらかじめ定義された、着信時の動作を行う動作制御ステップとを含むことを特徴としている。
【００１２】
上記の構成および方法によれば、携帯端末は、近距離通信により接続された外部装置から状態情報を取得し、該取得した状態情報に基づいて、外部装置の状態を判断することができる。そして、携帯電話網からの着信時の動作が、外部装置の状態別にあらかじめ定義されているため、携帯電話網から着信があったとき、外部装置から取得した状態情報に基づいて判断した当該外部装置の状態に応じた、着信時の動作を行うことできる。
【００１３】
よって、携帯端末が外部装置の近傍に位置するとき、携帯端末の携帯電話網からの着信に対する動作を、外部装置の状態に応じて携帯端末において制御することができる。例えば、外部装置の状態が、その近傍（近距離通信による通信可能範囲内）では、携帯端末で受話することができない（あるいは、望ましくない）状態である場合、携帯端末は、着信を禁止する等の動作を行うことが可能である。
【００１４】
また、外部装置は、当該外部装置の状態を携帯端末が判断するためのデータを送信するのみであって、携帯電話網からの着信時の動作を指定するデータを携帯端末に送信するわけではない。よって、携帯端末の判断により、自端末の機能に応じた動作が選択できる。そして、携帯端末に新たな機能が追加された場合であっても、外部装置側での対応は不要である。
【００１５】
なお、“外部装置の状態”には、「外部装置そのものの状態」および「外部装置の置かれている状況」が含まれる。例えば、「外部装置そのものの状態」としては、外部装置が車両であり、車両である外部装置自体が、車速８０ｋｍ／ｈで走行中である場合、外部装置は、「車速８０ｋｍ／ｈで走行中の状態」という状態を検知することができる。また、「外部装置の置かれている状況」としては、外部装置が、車両に搭載されており、当該車両が車速８０ｋｍ／ｈで走行中である場合、外部装置は、「車速８０ｋｍ／ｈで走行中の車両に搭載されている状態」という状態を検知することができる。
【００１６】
ここで、近距離通信には、ブルートゥース（登録商標）や赤外線通信等の近距離無線通信を採用することが可能であるが、有線通信を採用することも可能である。また、携帯電話網からの着信とは、例えば、電話着信、メール受信、メッセージ通知等が考えられる。そして、着信時の動作の内容としては、例えば、着信拒否、ハンズフリー動作、サイレント、所定の表示等が可能である。
【００１７】
また、携帯端末は、外部装置の状態別の着信時の動作の定義を、動作内容テーブルとして、記憶部にあらかじめ格納しておくことが望ましい。さらに、着信時の動作を外部装置の状態別に、携帯端末のユーザが設定するための構成を備えていることが好ましい。
【００１８】
さらに、本発明の携帯端末は、前記動作制御手段が行った着信時の動作の内容を、前記第一通信部を介して前記外部装置へ通知する第一報知手段をさらに備えることを特徴としている。
【００１９】
上記の構成によれば、さらに、携帯端末は、携帯電話網からの着信時に、外部装置の状態に応じて行った着信時の動作の内容を、当該外部装置へ通知することができる。よって、携帯端末が着信時に外部装置の状態に応じて行った動作の内容を、当該外部装置において報知できるという効果を奏する。
【００２０】
例えば、外部装置の状態が、その近傍（近距離通信による通信可能範囲内）では、携帯端末で受話することができない（あるいは、望ましくない）状態である場合に、携帯端末は、着信時に着信を拒否する等の動作を行うとともに、その動作の内容を、外部装置において、例えば、画面表示、音声出力、バイブレーション動作などによって、ユーザに報知することができる。
【００２１】
さらに、本発明の携帯端末は、前記第一報知手段は、前記状態監視手段が前記外部装置の状態の変化を検知したとき、当該変化後の状態において前記動作制御手段が着信時に行う動作の内容を示す情報を、前記第一通信部を介して前記外部装置へ通知することを特徴としている。
【００２２】
上記の構成によれば、さらに、携帯端末は、外部装置から取得した状態情報に基づいて、当該外部装置の状態が変化したことを検知したとき、携帯電話網からの着信時に行う動作の内容を示す情報を、当該外部装置へ通知することができる。よって、外部装置の状態が次に変化するまでの間に携帯端末が着信した場合に行う、着信時の動作の内容を、当該外部装置において報知できるという効果を奏する。
【００２３】
例えば、外部装置の状態が、その近傍（近距離通信による通信可能範囲内）では、携帯端末で受話することができない（あるいは、望ましくない）状態に変化した場合に、携帯端末が当該状態においては着信時に着信を拒否する動作を行うことを決定し、その旨を、外部装置に通知して、外部装置において、例えば、画面表示、音声出力、バイブレーション動作などによって、ユーザに報知することができる。
【００２４】
さらに、本発明の携帯端末は、前記第二通信部に着信があったとき、当該着信の発信元に対して、前記外部装置の状態を示す情報を通知する第二報知手段をさらに備えることを特徴としている。
【００２５】
上記の構成によれば、さらに、携帯端末は、携帯電話網から着信があったとき、外部装置から取得した状態情報に基づいて判断した当該外部装置の状態に応じた、着信時の動作を行う。そして、当該外部装置の状態を示す情報を、当該着信の発信元に対して通知することができる。
【００２６】
ここで、「着信の発信元に対して通知する、外部装置の状態を示す情報」は、携帯端末が外部装置の状態を判断するために、外部装置から取得した状態情報そのものであってもよいし、状態情報と同時にまたは別途に外部装置から取得した情報であってもよいし、外部装置から取得したデータを利用して、携帯端末において新たに生成した情報であってもよい。
【００２７】
例えば、外部装置がカーナビの場合に、携帯端末が着信を拒否したとき、「外部装置の状態を示す情報」として、現在位置や目的地到着時刻（あるいは、目的地到着までの時間）を着信の発信元に対して通知すれば、着信の発信元は、いつ電話をかけ直せば良いかを知ることができる。
【００２８】
さらに、本発明の携帯端末は、前記状態監視手段が前記第一通信部による前記外部装置との通信の切断を検知したとき、前記動作制御手段が、着信時に行う動作の内容を、前記第一通信部により前記外部装置と接続する前の状態に設定することを特徴としている。
【００２９】
上記の構成によれば、さらに、携帯端末は、外部装置との通信の切断を検知したとき、携帯電話網からの着信時に行う動作の内容を、当該外部装置と接続する前の状態に設定することができる。
【００３０】
ここで、例えば、携帯端末が外部装置の近傍（近距離通信による通信可能範囲内）から遠ざかった時、携帯端末と外部装置との通信は切断される。よって、携帯電話が携帯電話網からの着信時の動作を、外部装置の状態に応じて決定する必要がなくなったとき、当該外部装置と接続する前の状態に戻す（初期化する）ことが可能となる。すなわち、外部装置が車載装置であれば、ユーザが車両から降りた時、携帯電話が車載装置から離れるため、近距離通信が切断されるため、携帯端末をドライブモードから通常モードに自動的に戻すことができる。
【００３１】
本発明の検知装置は、検知対象の状態を検知するセンサが接続された検知装置であって、携帯電話網と通信する携帯端末と近距離通信により通信する第一通信部と、前記第一通信部を介して前記携帯端末へ前記センサより取得した前記検知対象の状態を示す状態情報を送信する状態情報送信手段と、前記携帯端末が前記携帯電話網からの着信時に、前記状態情報に基づいて行った動作の内容を、前記携帯端末から前記第一通信部を介して受信して、報知する携帯端末状態報知手段とを備えることを特徴としている。
【００３２】
また、本発明の検知装置の制御方法は、検知対象の状態を検知するセンサが接続されるとともに、携帯電話網と通信する携帯端末と近距離通信により通信する検知装置の制御方法であって、前記携帯端末へ前記センサより取得した前記検知対象の状態を示す状態情報を送信する状態情報送信ステップと、前記携帯端末が前記携帯電話網からの着信時に、前記状態情報に基づいて行った動作の内容を、前記携帯端末から受信して、報知する携帯端末状態報知ステップとを含むことを特徴としている。
【００３３】
上記の構成および方法によれば、検知装置は、携帯端末へ検知対象の状態を検知するセンサより取得した検知対象の状態を示す状態情報を近距離通信により送信するとともに、携帯端末が携帯電話網からの着信時に、前記状態情報に基づいて行った動作の内容を、携帯端末から近距離通信により受信して、報知する。
【００３４】
よって、携帯端末が検知装置の近傍に位置するとき、携帯端末の携帯電話網からの着信に対する動作を、検知装置の状態に応じて携帯端末において制御することができるという効果を奏する。
【００３５】
検知装置には、例えば、車両の状態を検知するためのセンサに接続された車載装置や、身体に装着するタイプの、心拍・血圧測定機能、歩数測定機能、加速度センサ付き運動補助機器等を適用できる。
【００３６】
また、検知装置は、検知対象の状態を携帯端末が判断するためのデータを送信するのみであって、携帯電話網からの着信時の動作を指定するデータを携帯端末に送信するわけではない。よって、携帯端末の判断により、自端末の機能に応じた動作が選択できる。そして、携帯端末に新たな機能が追加された場合であっても、検知装置側での対応は不要である。
【００３７】
さらに、本発明の検知装置は、車両に搭載されており、上記センサが該車両を検知対象とすることを特徴としている。
【００３８】
上記の構成によれば、さらに、検知装置は、車両に搭載されており、センサでは該車両を検知対象としている。このため、検知装置は、センサから車両の状態を取得できる。よって、検知装置は、携帯端末が車両の状態を判断するためのデータを、該携帯端末に送信することができる。
【００３９】
これにより、携帯端末では、車両の状態に応じた動作を行うことができる。この結果、携帯端末に、ドライバが車両を運転している間に、携帯端末の着信に対する動作を制御させることができる。
【００４０】
例えば、車両が高速走行中の状態にあり、ドライバは携帯端末で受話することができない（あるいは、望ましくない）状態である場合、車載装置としての検知装置はセンサより取得した車両の状態を示す状態情報を携帯端末へ送信することにより、携帯端末に着信を禁止する等の動作を行わせることが可能である。
【００４１】
ここで、車両の状態を検知するセンサとは、例えば、パーキングブレーキセンサ、車速センサ、バックギアセンサ等が挙げられる。
【００４２】
本発明の携帯端末制御システムは、上記の検知装置と、該検知装置を外部装置とする上記の携帯端末とを含むことを特徴としている。
【００４３】
上記の構成によれば、例えば、検知装置として車両に搭載されるカーナビからの情報に基づいて、携帯端末において車両の状態を特定して、携帯端末の着信時の動作を制御することが可能となる。
【００４４】
なお、上記携帯端末および上記検知装置（外部装置）は、コンピュータによって実現してもよく、この場合には、コンピュータを上記各手段として動作させることにより上記携帯端末および上記検知装置をコンピュータにて実現させる携帯端末および検知装置の制御プログラム、およびそれを記録したコンピュータ読み取り可能な記録媒体も、本発明の範疇に入る。
【発明の効果】
【００４５】
以上のように、本発明に係る携帯端末は、近距離通信により外部装置と通信する第一通信部と、携帯電話網と通信する第二通信部と、前記第一通信部を介して前記外部装置から状態情報を取得する状態監視手段と、前記状態監視手段が取得した状態情報に基づいて、前記外部装置の状態を判断する状態判断手段と、前記第二通信部に着信があったとき、前記外部装置の状態別にあらかじめ定義された、着信時の動作を行う動作制御手段とを備える構成である。
【００４６】
また、本発明に係る携帯端末の制御方法は、外部装置から状態情報を取得する状態監視ステップと、前記状態監視ステップにて取得した状態情報に基づいて、前記外部装置の状態を判断する状態判断ステップと、携帯電話網から着信があったとき、前記外部装置の状態別にあらかじめ定義された、着信時の動作を行う動作制御ステップとを含む方法である。
【００４７】
それゆえ、携帯端末が外部装置の近傍に位置するとき、携帯端末の携帯電話網からの着信に対する動作を、外部装置の状態に応じて携帯端末において制御することができるという効果を奏する。例えば、外部装置の状態が、その近傍（近距離通信による通信可能範囲内）では、携帯端末で受話することができない（あるいは、望ましくない）状態である場合、携帯端末は、着信を禁止する等の動作を行うことが可能である。
【００４８】
本発明の検知装置は、携帯電話網と通信する携帯端末と近距離通信により通信する第一通信部と、前記第一通信部を介して前記携帯端末へセンサより取得した検知対象の状態を示す状態情報を送信する状態情報送信手段と、前記携帯端末が前記携帯電話網からの着信時に、前記状態情報に基づいて行った動作の内容を、前記携帯端末から前記第一通信部を介して受信して、報知する携帯端末状態報知手段とを備える構成である。
【００４９】
また、本発明の検知装置の制御方法は、携帯端末へセンサより取得した検知対象の状態を示す状態情報を送信する状態情報送信ステップと、前記携帯端末が前記携帯電話網からの着信時に、前記状態情報に基づいて行った動作の内容を、前記携帯端末から受信して、報知する携帯端末状態報知ステップとを含む方法である。
【００５０】
それゆえ、携帯端末が検知装置の近傍に位置するとき、携帯端末の携帯電話網からの着信に対する動作を、検知装置の状態に応じて携帯端末において制御することができるという効果を奏する。例えば、検知装置が車両に搭載されており、当該車両の状態を検知するセンサに接続された車載装置であれば、車両が高速走行中の状態にあり、ドライバは携帯端末で受話することができない（あるいは、望ましくない）状態である場合、検知装置はセンサより取得した車両の状態を示す状態情報を携帯端末へ送信することにより、携帯端末に着信を禁止する等の動作を行わせることが可能である。
【発明を実施するための最良の形態】
【００５１】
本発明の一実施形態について図１から図１７に基づいて説明すると以下の通りである。
【００５２】
〔携帯端末制御システムの構成〕
本実施形態の携帯端末制御システム１の構成について、図１に基づいて説明する。図１は、携帯端末制御システム１の要部構成を示すブロック図である。図示のように、携帯端末制御システム１は、携帯端末１００と、車載装置（外部装置）２００と、車両状態センサ３００とを含む構成である。なお、本実施の形態では、携帯端末１００は通常の携帯電話をベースとして構成されているものとする。また、車載装置２００は通常のカーナビゲーション装置をベースに構成されているものとする。よって、図１には本発明を説明する上で主要な構成のみを示し、以下で説明する。
【００５３】
携帯端末１００は、ユーザが携帯可能な通信および情報処理のための装置である。携帯端末１００の代表例としては、携帯電話が挙げられる。また、携帯端末１００は、携帯電話網Ｔに接続可能となっている。
【００５４】
車載装置２００は、車両に搭載され、車両の状態を検知するための車両状態センサ３００に接続されており、車両状態センサ３００から取得した車両の状態に関する情報の提供を行うものである。車載装置２００は、他にも、カーナビゲーション機能、携帯端末接続機能等の種々の機能を提供するためのものである。
【００５５】
また、携帯端末１００と、車載装置２００との間は近距離無線通信によって接続されている。本実施の形態において、携帯端末１００と、車載装置２００との間の近距離無線通信には、Ｂｌｕｅｔｏｏｔｈ（登録商標）によって行うものとし、携帯端末１００と、車載装置２００との間のペアリングは予め完了しているものとする。
【００５６】
車両状態センサ３００は、車両の各種状態を検知するためのセンサを備えるものであり、車載装置２００と接続されている。
【００５７】
なお、車載装置２００と、車両状態センサ３００との間は、本実施形態においては有線により接続されている。この接続には、ＵＳＢ（Universal Serial Bus）やＩＥＥＥ１３９４等の規格を用いることができる。しかしながら、これに限られず、Ｂｌｕｅｔｏｏｔｈ（登録商標）や、赤外線通信等の無線通信方式を採用することも可能である。
【００５８】
〔携帯端末の詳細〕
携帯端末１００は、記憶部１１０と、電話網通信部１２０と、車両状態監視部１３２と、状態判断部１３４と、モード制御部１３６と、設定部１３８と、報知部１４０と、近距離通信部１５０と、表示部１５２と、スピーカ１５４と、振動部１５６と、操作部１６０とを備える構成である。
【００５９】
記憶部１１０は、各種データおよびプログラムを記憶するものである。記憶部１１０の例としては、車両状態監視部１３２、状態判断部１３４、モード制御部１３６、設定部１３８、および、報知部１４０の各部が動作するときに必要なプログラムや、通信制御データなどの固定データを記憶する読出し専用の半導体メモリであるＲＯＭ（Read Only Memory）と、通信に関するデータ、演算に使用するデータ、および演算結果などを一時的に記憶する、いわゆるワーキングメモリとしてのＲＡＭ（random access memory）と、各種の設定データ、撮影画像データ、電子メールデータなどを記憶する書換え可能な不揮発性メモリ（例えばフラッシュメモリ）とが挙げられる。
【００６０】
また、記憶部１１０は、各イベント種別に対応する動作内容を記憶するための動作内容テーブル１１２を記憶している。この動作内容記憶テーブル１１２の詳細については後述する。
【００６１】
電話網通信部１２０は、携帯電話網Ｔと通信する。携帯電話網Ｔには、携帯端末１００に対して発呼する発信元の携帯電話（図示せず）が接続されている。
【００６２】
車両状態監視部１３２は、近距離通信部１５０を介して車載装置２００から、車両状態センサ３００より取得された車両の状態を示す車両状態情報（状態情報）を取得する。
【００６３】
状態判断部１３４は、車両状態監視部１３２が取得した車両状態情報に基づいて、車載装置２００の状態を判断する。
【００６４】
モード制御部１３６は、電話網通信部１２０に着信があったとき、車載装置２００の状態別にあらかじめ定義された、着信時の動作を行う。また、モード制御部１３６は、車両状態監視部１３２が近距離通信部１５０による車載装置２００との通信の切断を検知したとき、着信時に行う動作の内容を、近距離通信部１５０により車載装置２００と接続する前の状態に設定する。
【００６５】
設定部１３８は、操作部１６０から入力信号を受信し、受信した入力信号に基づいて、動作内容テーブルを更新するものである。
【００６６】
報知部１４０は、電話網通信部１２０における着信等の通信イベントの発生に対して行った動作の報知を制御するものである。
【００６７】
まず、報知部１４０は、車両状態監視部１３２が車載装置２００の状態の変化を検知したとき、当該変化後の状態においてモード制御部１３６が着信時に行う動作の内容を示す情報を、近距離通信部１５０を介して車載装置２００の携帯端末状態報知部２３２へ通知する。このとき、報知部１４０は、車載装置２００の状態が変化した旨、および／あるいは、当該変化後の状態においてモード制御部１３６が着信時に行う動作の内容を示す情報を、携帯端末１００の表示部１５２、スピーカ１５４および振動部１５６を用いて報知してもよい。
【００６８】
また、報知部１４０は、電話網通信部１２０に着信があっても、状態判断部１３４が電話網通信部１２０での着信を拒否すると判断した場合に、当該着信の発信元に対して、車載装置２００の状態を示す情報を通知する。このとき、報知部１４０は、着信の発信元に対して、車載装置２００の状態を示す情報を通知した旨、および、通知した内容を、表示部１５２、スピーカ１５４および振動部１５６を用いて携帯端末１００において報知してもよいし、近距離通信部１５０を介して車載装置２００の携帯端末状態報知部２３２へ通知してもよい。
【００６９】
また、報知部１４０は、携帯端末１００が、例えば、車載装置２００と接続されておらず、車載装置２００と連動していない通常時には、電話網通信部１２０において通信を受けると、表示部１５２、スピーカ１５４および振動部１５６に対して、通信を受けた旨を報知するよう制御する。なお、報知部１４０は、表示部１５２に画面データを送信し、表示部１５２における画面表示を制御する。また、報知部１４０は、スピーカ１５４に音声データを送信し、スピーカ１５４における音声出力を制御する。また、報知部１４０は、振動制御命令を振動部１５６に送信し、振動部１５６における振動動作を制御する。
【００７０】
近距離通信部１５０は、近距離通信により車載装置２００と通信する。本実施形態においては、近距離通信部１５０ではＢｌｕｅｔｏｏｔｈ（登録商標）による通信を行うことを想定している。しかしながら、これに限られず、ZigBee（登録商標）、ＵＷＢ（Ultra Wide Band）、無線ＬＡＮ（ＩＥＥＥ８０２．１１）などの無線通信規格を用いた通信を行ってもよいし、有線接続により携帯端末１００と、車載装置２００とを接続し、通信を行ってもよい。
【００７１】
表示部１５２は、報知部１４０から受信した画面データに基づいて表示画面に画像を表示するものである。表示部１５２を実現する表示画面は、ＬＣＤ（Liquid Crystal Display）、ＰＤＰ（Plasma Display Panel）、ＥＬ（Electroluminescence）ディスプレイなどを用いることができる。
【００７２】
スピーカ１５４は、報知部１４０から受信した音声データに基づいて、音声を発生させてユーザに聴覚的な情報の提示を行うものである。
【００７３】
振動部１５６は、報知部１４０から受信した振動制御命令おいて指定された振動動作を行うものである。
【００７４】
操作部１６０は、ユーザからの入力操作を受け付けるボタン／キーが設けられ、ユーザによって押下されたボタン／キーに対応した入力信号を出力する。操作部１６０は、携帯端末１００のユーザによる入力デバイスとして汎用のものであるが、本実施の形態では、特に、操作部１６０は、ユーザの入力操作に基づいて生成した入力信号を、設定部１３８に送信する。
【００７５】
ここで、図２を用いて、操作部１６０に設けられるボタン／キーについて説明する。図２は、携帯端末１００の操作部１６０の外観について示した説明図である。同図に示すように、テンキー１６１、上下左右ボタン１６２、および、決定ボタン１６３等のボタンを備える。テンキー１６１は、主に数字および文字を入力する目的で使用される。また、上下左右ボタン１６２は、主にメニューなどを選択する際にカーソルを上下左右に移動させるために使用される。また、決定ボタン１６３は、主に上下左右ボタン１６２で選択した項目を確定するために使用される。
【００７６】
なお、携帯端末１００は、自端末の現在位置を取得するために、ＧＰＳ（Global Positioning System）等による測位デバイス（位置取得部）を備えていてもよい。そして、例えば、着信時に、発信元に対して自端末の位置を通知するように構成することもできる。
【００７７】
〔車載装置の詳細〕
車載装置２００は、記憶部２１０と、近距離通信部（第一通信部）２２０と、携帯端末状態報知部（携帯端末状態報知手段）２３２と、携帯端末管理部２３４と、状態データ送信部（状態情報送信手段）２３６と、車両情報取得部２３８と、位置取得部２４０と、カーナビゲーション部２５０と、表示部２６０と、スピーカ２７０とを備える構成である。また、車載装置２００は車両に搭載され、該車両の状態を検知するために該車両に配設された車両状態センサ３００（センサ）が接続されている。
【００７８】
記憶部２１０は、各種データおよびプログラムを記憶するものである。記憶部２１０の例としては、携帯端末状態報知部２３２と、携帯端末管理部２３４と、状態データ送信部２３６と、車両情報取得部２３８の各部が動作するときに必要なプログラムや、通信制御データなどの固定データを記憶する読出し専用の半導体メモリであるＲＯＭと、通信に関するデータ、演算に使用するデータ、および演算結果などを一時的に記憶する、いわゆるワーキングメモリとしてのＲＡＭと、各種の設定データなどを記憶する書換え可能な不揮発性メモリ（例えばフラッシュメモリ）とが挙げられる。
【００７９】
また、記憶部２１０は、車載装置２００に接続する携帯端末１００を管理するための接続管理テーブル２１２を記憶している。この接続管理テーブル２１２は、ペアリング済みの携帯端末１００の端末情報として、Ｂｌｕｅｔｏｏｔｈアドレスおよびデバイス名を記憶している。
【００８０】
近距離通信部２２０は、携帯端末１００と近距離通信により通信する。上述したように、本実施形態においては携帯端末１００の近距離通信部１５０と同様、近距離通信部２２０は、Ｂｌｕｅｔｏｏｔｈ（登録商標）による通信を行うことを想定している。しかしながら、これに限られず、ZigBee（登録商標）、ＵＷＢ（Ultra Wide Band）、無線ＬＡＮ（ＩＥＥＥ８０２．１１）などの無線通信規格を用いた通信を行ってもよいし、有線接続により携帯端末１００と、車載装置２００とを接続し、通信を行ってもよい。
【００８１】
携帯端末状態報知部２３２は、携帯端末１００が携帯電話網Ｔからの着信時に、車両状態情報に基づいて行った動作の内容を、携帯端末１００から近距離通信部２２０を介して受信して、報知する。
【００８２】
携帯端末管理部２３４は、接続管理テーブル２１２を用いて、車載装置２００と、車載装置２００に接続するペアリング済みの携帯端末１００とを管理するものである。携帯端末管理部２３４の動作詳細については後述する。
【００８３】
状態データ送信部２３６は、近距離通信部２２０を介して携帯端末１００へ、車両情報取得部２３８が車両状態センサ３００より取得した車両の状態を示す車両状態情報や、現在位置および目的地に到達する予想時刻等の情報を含む状態データを送信する。
【００８４】
車両情報取得部２３８は、車両の状態を検知するための車両状態センサ３００に接続されており、当該車両状態センサ３００から検知信号を受信するものである。
【００８５】
位置取得部２４０は、車両の現在位置を取得するためのものである。位置取得部２４０では、車両の現在位置を取得するために、ＧＰＳ（Global Positioning System）等の計測システムを採用することができる。
【００８６】
カーナビゲーション部２５０は、目的地を設定することにより、車両の現在位置から目的地への経路検索を行い、検索した経路を表示部２６０およびスピーカ２７０を通してユーザに提示するものである。
【００８７】
表示部２６０は、携帯端末状態報知部２３２およびカーナビゲーション部２５０から、画面データを受信し、当該画面データの表示を行うものである。表示部２６０を実現する表示画面は、ＬＣＤ（Liquid Crystal Display）、ＰＤＰ（Plasma Display Panel）、ＥＬ（Electroluminescence）ディスプレイなどを用いることができる。
【００８８】
スピーカ２７０は、携帯端末状態報知部２３２およびカーナビゲーション部２５０から受信した音声データに基づいて、音声を発生させてユーザに聴覚的な情報の提示を行うものである。
【００８９】
〔車両状態センサの詳細〕
車両状態センサ３００は、車両の状態を検知するための各種センサを備える。このセンサは、例えば、パーキングブレーキセンサ、車速度センサおよびバックギアセンサから構成することができる。
【００９０】
〔携帯端末制御システムにおける動作モード制御処理の概略〕
次に、携帯端末制御システム１において実行される動作モード制御処理の概略について、図３に基づいて説明する。図３は、携帯端末制御システム１において実行される動作モード制御処理の概略を例示するシーケンス図である。
【００９１】
まず、携帯端末１００において、あらかじめ車両状態別に携帯端末１００の動作モードを設定しておく（Ｓ１０１）。この動作モードの設定は、操作部１６０が、ユーザの入力を受け付け、当該受け付けた入力を設定部１３８が動作内容テーブル１１２に記憶することで行われる。
【００９２】
次に、車載装置２００から、ユーザの携帯端末１００を検索し、携帯端末１００に対し接続要求を送信する（Ｓ１５１）。このとき、携帯端末１００では、車載装置２００から送信される接続要求を受信し、接続を受け付け、いわゆるドライブモード機能を有効にする（Ｓ１０２）。
【００９３】
次に、車載装置２００から車両の状態についての情報である「車両状態情報」、「現在位置」および「到着予想時刻」を携帯端末１００に通知する（Ｓ１５２）。ここで、車両状態情報とは、具体的には、車載装置２００に接続された車両状態センサ３００に含まれるパーキングブレーキセンサ、車速センサおよびバックギアセンサから得られる情報が挙げられる。車両状態情報の詳細については後述する。このとき、携帯端末１００では、車載装置２００から、「車両状態情報」、「現在位置」および「到着予想時刻」を通知されると、当該「車両状態情報」を解析して、”走行中”や”停車中”などの車両の状態を判断し、各車両状態と設定した動作モードに応じた動作内容が設定される（Ｓ１０３）。例えば、車両状態が“停車中”の時には、電話着信、メール着信およびサービス通知は、“通常着信”するように動作内容が設定される。
【００９４】
また、携帯端末１００は、Ｓ１０３において動作モードを設定すると、当該設定内容、すなわち動作モード情報を、車載装置２００に通知する（Ｓ１０４）。一方、車載装置２００は、携帯端末１００から動作モード情報を受信すると、当該動作モード情報の内容を、表示部２６０に表示する（Ｓ１５３）。なお、表示部２６０に表示することに加えて、音声による通知をユーザに対して行ってもよい。
【００９５】
その後、携帯端末１００は、設定されている動作モードに応じて、携帯端末の各種動作を制限したり、操作不能にしたりする制御を行う（Ｓ１０５）。
【００９６】
以上が、携帯端末制御システム１において実行される動作モード制御処理の概略である。
【００９７】
〔携帯端末制御システムにおける動作モード制御処理の流れ〕
次に、携帯端末制御システム１において実行される動作モード制御処理の流れについて、図４に基づいて説明する。図４は、携帯端末制御システム１において実行される動作モード制御処理の流れを示したフローチャートである。
【００９８】
まず、携帯端末１００は、操作部１６０において、動作モード設定操作を受け付ける。そして、携帯端末１００は、動作モード設定操作の有無を判定する（Ｓ２０１）。このとき、動作モード設定操作が有れば、（Ｓ２０１においてＹＥＳ）、携帯端末１００は、操作部１６０を操作してドライブモードにおける動作モード設定を行うようユーザに促す（Ｓ２０２）。
【００９９】
ここで、図５、図６および図７を用いて、携帯端末１００における動作モード設定について説明する。図５は、携帯端末１００における動作モード設定画面の一例について示した説明図である。また、図６は、動作内容テーブル１１２に格納される情報の一例を示したデータテーブルである。また、図７は、動作内容テーブル１１２に設定することのできるイベント種別および動作内容について説明した説明図である。
【０１００】
図５（ａ）に示すように、動作モード設定画面は、車両状態の各々にタブが割り当てられている。車両状態には、パーキングブレーキを上げて、アイドリングしている“停車時”、車速がゼロだが、アイドリング状態であり、いつでも発進することができる状態（例えば、信号待ちの状態）である“静止中”、一定の速度で走行している“走行中”、速い速度で走行している“高速走行中”、後方にバックしている状態である“後退中”等がある。
【０１０１】
図５（ａ）に示すように、それぞれのタブでは、イベント種別毎に、動作内容が設定可能となっている。図７（ａ）に示すリストを用いて各種イベント種別について説明すると、次のとおりである。すなわち、イベント種別には、電話着信があったことを示す電話着信イベント、メール着信があったことを示すメール着信イベント、およびＰＵＳＨ型の情報配信手段であるサービス通知があったことを示すサービス通知イベントがある。
【０１０２】
また、図５（ａ）に示すように、電話着信、メール着信およびサービス通知に対応するコンボボックスが配置されており、カーソルキーの上下で、フォーカスを動かし、電話着信、メール着信およびサービス通知のコンボボックスを選択する。そして、決定キーを押下すると、コンボボックスのメニューが展開される。このメニューから設定可能な動作内容をさらに選択することができる。
【０１０３】
ここで、図７（ｂ）に示すリストを用いて、上記のコンボボックスから選択可能な動作内容の設定について説明する。選択することができる動作内容には次のようなものがある。すなわち、通常の動作（車載装置２００に接続する前の設定状態）を行う“通常着信”、車載装置２００が提供するハンズフリー機能を用いる“ハンズフリー着信”、発信元に着信不可のメッセージを送信する“着信拒否”、着信を行うとともに車載装置２００において表示を行う“ナビ表示”、ユーザに報知することなく着信する“サイレント”などである。
【０１０４】
ここで、ハンズフリー機能について、さらに説明すると次のとおりである。すなわち、ハンズフリー機能とは、携帯端末１００を操作することなく、車載装置２００の操作部（図示せず）からの操作により、携帯端末１００が操作可能になる機能のことである。この機能により、携帯端末１００の操作を、車載装置２００の操作に統合できるため、走行中の安全性を向上させることができる。
【０１０５】
再び図５（ａ）に戻り、動作モード設定画面について説明する。各タブは左右キーで切り替えることができる。すなわち、それぞれの車両状態について設定する場合は、左右キーで所望の車両状態のタブに切り替えればよい。
【０１０６】
また、図５（ａ）に示すように、動作モード設定画面には、「着信拒否詳細設定」ボタンが設けられており、着信拒否時に、拒否理由の通知を許可する連絡先を個別に設定することもできる。すなわち、「着信拒否詳細設定」ボタンを押下すると、図５（ｂ）に示すように、着信拒否時に拒否理由の通知を許可したい連絡先が表示される。
【０１０７】
図５（ａ）で設定した動作内容は、図６に示すようなテーブルとして格納される。すなわち、車両状態ごとに、電話着信、メール着信およびサービス通知に対する着信時の動作内容が設定可能となっている。なお、以上の説明では、各種イベント種別ごとに動作内容を設定していたが、車両の現在位置と目的地との相対的な位置関係に対応付けて動作内容を設定してもかまわない。すなわち、目的地が所定の距離の範囲内であれば、車両の運転において安全上の問題が無い範囲において、例えば、“着信拒否”の設定を、“ハンズフリー着信”の設定に変更することができる。つまり、目的地に近づくにつれて動作内容の設定をより緩和するような措置をとることができる。このように構成することで、利用者の要望により柔軟に応じることができる動作内容を設定することができる。
【０１０８】
また、目的地に到着する予想時刻に対応付けて動作内容を設定してもかまわない。すなわち、目的地にあと１５分以内に到着するのであれば、“ハンズフリー着信”の設定を“着信拒否”の設定に変更することができる。つまり、携帯端末１００において、いったん着信を拒否しても１５分後に発呼者に折り返し連絡すればよいからである。このように構成することで、利用者の要望により柔軟に応じることができる動作内容を設定することができる。
【０１０９】
再び図４を参照し、フローチャートの説明に戻る。動作モード設定操作がなければ（Ｓ２０１においてＮＯ）、携帯端末１００は、近距離通信部１５０において、車載装置２００からの接続要求を受け付ける。車載装置２００から携帯端末１００に対して送信される接続要求は、図８に示すようにＢｌｕｅｔｏｏｔｈ規格の接続要求を示すデータ項目を含む。また、この接続要求は、Ｂｌｕｅｔｏｏｔｈ規格における接続要求であるので、ここではこれ以上の説明は割愛する。
【０１１０】
そして、携帯端末１００は、車載装置２００からの接続要求の有無を判定する（Ｓ２０３）。車載装置２００からの接続要求が無ければ（Ｓ２０３においてＮＯ）、携帯端末１００は、継続的に接続要求を待ち受ける（Ｓ２０１に戻る）。車載装置２００からの接続要求が有れば（Ｓ２０３においてＹＥＳ）、携帯端末１００は、当該接続要求を処理し、ドライブモードに移行する（Ｓ２０４）。
【０１１１】
一方、車載装置２００では、携帯端末管理部２３４が、接続管理テーブル２１２に格納されているペアリング済みの機器から車載装置２００に接続する携帯端末１００を特定する（Ｓ２５０）。
【０１１２】
そして、車載装置２００では、携帯端末管理部２３４が、Ｓ２５０において特定された携帯端末１００に対して、接続要求を送信する（Ｓ２５１）。携帯端末管理部２３４は、当該接続要求が正しく送信できたか否かを判定する（Ｓ２５２）。接続要求の送信が失敗していれば（Ｓ２５２においてＮＯ）、携帯端末管理部２３４は、接続要求が成功するまで再度接続要求を行う（Ｓ２５１に戻る）。一方、接続要求の送信が成功していれば（Ｓ２５２においてＹＥＳ）、携帯端末管理部２３４は、近距離通信部２２０において、携帯端末１００との接続処理を開始する（Ｓ２５３）。
【０１１３】
携帯端末１００との接続処理が完了すると、車載装置２００では、位置取得部２４０が、車両の現在位置を取得する（Ｓ２５４）。そして、カーナビゲーション部２５０が、目的地が設定されているか否かを判断する（Ｓ２５５）。ここで、目的地が設定されている場合は（Ｓ２５５においてＹＥＳ）、カーナビゲーション部２５０は、目的地までの経路を探索する（Ｓ２５６）。目的地が設定されていない場合（Ｓ２５５においてＮＯ）、Ｓ２５６の処理は省略される。つづいて、カーナビゲーション部２５０は、Ｓ２５４〜２５６までの処理内容に基づいて、表示部２６０における画面表示を更新する（Ｓ２５７）。すなわち、カーナビゲーション部２５０は、Ｓ２５４で取得した現在位置の情報や、目的地が設定されている場合は、当該目的地およびＳ２５６において探索した経路情報などを表示部２６０に表示する。
【０１１４】
次に、車両状態取得部２３８が、車両状態センサ３００から、車両の状態を示す種々の車両状態情報を取得し、当該車両状態情報を解析し、車両状態が変化したか否かを判定する（Ｓ２５８）。車両状態取得部２３８は、車両状態が変化していれば（Ｓ２５８においてＹＥＳ）、当該車両状態情報を状態データ送信部２３６に転送する。そして、状態データ送信部２３６は、カーナビゲーション部２５０に現在位置および目的地までの所要時間を計算させて、カーナビゲーション部２５０から現在位置および目的地までの所要時間を取得する（Ｓ２５９）。これら、車両状態情報、現在位置、および目的地までの所要時間を含む情報を以後、「状態データ通知」と称する。
【０１１５】
ここで、図９を参照しながら、状態データ通知に格納されている情報について詳細に説明する。図９は、状態データ通知に格納されている情報のデータレイアウトについて示した説明図である。
【０１１６】
現在位置には、位置取得部２４０が取得した車両の現在位置に関する情報が格納される。現在位置には、例えば、“大阪市阿倍野区長池町付近”といった位置情報が格納される。また、車載装置２００では、現在位置に応じた音声ガイダンスを作成し、現在位置音声の項目に格納する。例えば、現在位置音声には、“現在、大阪市阿倍野区長池町付近を走行中です。”といった音声ガイダンスが格納される。
【０１１７】
目的地に到着すると予測される時間が目的地到着予想時刻の項目に格納される。目的地到着予想時刻には、例えば、“１４時３０分”といった時刻情報が格納される。また、目的地到着予想時刻音声の項目には、目的地に到着すると予測される時間に応じた音声ガイダンスの音声データが格納される。目的地到着予想時刻音声には、例えば、“１４時３０分”という音声データが格納される。なお、カーナビゲーション部２５０において目的地が設定されていない場合は、目的地到着予想時刻および目的地到着予想時刻音声の項目には空白が設定される。
【０１１８】
また、車両状態情報には、車両状態センサ３００から取得した各種の状態情報が格納される。例えば、パーキングブレーキセンサが検出するパーキングブレーキのＯＮ／ＯＦＦを示すパーキングブレーキ状態、車速センサが検出する車両の車速（？？ｋｍ／ｈ）を示す車速センサ状態、バックギアセンサが検出するバックギアのＯＮ／ＯＦＦを示すバックギアセンサ状態などの情報である。
【０１１９】
再び図４を参照しフローチャートの説明に戻る。状態データ送信部２３６は、車両状態情報、現在位置、および目的地までの所要時間等を含む状態データ通知を携帯端末１００に送信する（Ｓ２６０；状態情報送信ステップ）。車両状態が変化していなければ（Ｓ２５８においてＮＯ）、Ｓ２５９およびＳ２６０の処理は省略される。なお、ここでは、２５８において車両状態の変更に応じてＳ２５９およびＳ２６０の処理を行っているが、車両状態の変更にかかわらず所定時間毎（例えば１分毎）に、Ｓ２５９およびＳ２６０の処理を行っても良い。この場合、Ｓ２５８では上記所定時間の経過を判断することで実現可能である。また、Ｓ２５８では、車両状態を判定する代わりに、車両状態情報に格納される値が変化したか否かを判定してもよい。
【０１２０】
一方、携帯端末１００では、Ｓ２０４の接続処理の後、車両状態監視部１３２が、車載装置２００から車両状態情報を含む状態データ通知が送信されるのを待ち受け、車載装置２００から状態データが通知されたか否かを判定する（Ｓ２０５；状態監視ステップ）。ここで、車両状態監視部１３２が、車載装置２００から状態データが通知されたと判定すると（Ｓ２０５においてＹＥＳ）、携帯端末１００では、モード制御部１３６が、車両状態に応じた動作内容を設定する（Ｓ２０６）。Ｓ２０６における処理の詳細（図１４）については後述する。
【０１２１】
モード制御部１３６は、設定した動作内容を、動作内容通知として、近距離通信部１５０を介して、車載装置２００に送信する（Ｓ２０７）。車両状態監視部１３２が、車載装置２００から状態データが通知されていないと判定すると（Ｓ２０５においてＮＯ）、Ｓ２０６およびＳ２０７の処理は省略される。
【０１２２】
ここで、図１０を用いて、動作内容通知に格納される情報について説明する。図１０は、動作内容通知に格納されている情報のデータレイアウトについて示した説明図である。
【０１２３】
図１０に示すように、動作内容通知には、各種のイベント種別について設定されている動作内容が格納される。すなわち、電話着信、メール着信およびサービス通知のそれぞれについて設定されている動作内容が格納される。
【０１２４】
再び図４を参照しフローチャートの説明に戻る。車載装置２００では、携帯端末１００から、動作内容通知を受信したか否かを判定する（Ｓ２６１）。車載装置２００では、携帯端末１００から、動作内容通知を受信していた場合（Ｓ２６１においてＹＥＳ）、携帯端末状態報知部２３２が、当該動作内容通知の内容を表示部２６０に表示する（Ｓ２６２）。表示部２６０に表示する画面は、例えば図１１に示す画面である。すなわち、携帯端末１００から、受信した動作内容通知に基づいて、イベント種別ごとに動作内容を表示させればよい。また、図１１に示すような画面表示に限られず、スピーカ２７０を介して音声によって上記の内容を報知するようにしてもよい。
【０１２５】
携帯端末１００から、動作内容通知を受信していなかった場合（Ｓ２６１においてＮＯ）には、Ｓ２６２の処理は省略される。
【０１２６】
また、一方で、携帯端末１００では、状態判断部１３４が、電話着信、メール着信、サービス通知などの通信イベントを監視する。これらのイベントが発生したことを検知すると（Ｓ２０８においてＹＥＳ）、モード制御部１３６が、発生したイベントに応じて、車両状態ごとに設定されている動作内容に基づいて携帯端末１００の動作を制御する（Ｓ２０９；動作制御ステップ）。Ｓ２０９における処理の詳細については、後述する。また、状態判断部１３４は、検知したイベントに応じた報知動作を報知部１４０に行わせる。この報知動作は、例えば、表示部１５２における画面表示であったり、スピーカ１５４からの音声出力であったり、振動部１５６における振動といったものである。このとき、動作内容の設定により報知が抑制されているのであれば、報知部１４０は報知動作を行わない。
【０１２７】
そして、報知部１４０は、報知動作の内容を動作実行通知として、近距離通信部１５０を介して車載装置２００に通知する（Ｓ２１０）。状態判断部１３４が、イベントが発生したことを検知しなかった場合（Ｓ２０８においてＮＯ）、Ｓ２０９およびＳ２１０の処理は省略される。
【０１２８】
ここで、図１２を用いて、動作実行通知に格納される情報について説明する。図１２は、動作実行通知に格納されている情報のデータレイアウトについて示した説明図である。
【０１２９】
図示のように動作実行通知には、携帯端末１００において発生したイベントに対応する動作内容が格納される。例えば、“走行中”に携帯端末１００において“電話着信”を受けた場合、図６で示した設定の場合、動作内容に“ハンズフリー着信”が設定されているので、携帯端末１００は、イベント種別に“電話着信”、実行済み動作に“ハンズフリー着信”が格納した動作実行通知を車載装置２００に送信する。
【０１３０】
再び図４を参照しフローチャートの説明に戻る。また、携帯端末１００は、車載装置２００から通信が切断されていないかを検知する（Ｓ２１１）。ここで、携帯端末１００は、車載装置２００から通信が切断されていない場合（Ｓ２１１においてＮＯ）は、Ｓ２０５からＳ２１１までの処理を再び繰り返し、状態データの通知と、イベントの発生とを待ち受ける。携帯端末１００は、車載装置２００から通信が切断されている場合（Ｓ２１１においてＹＥＳ）は、動作モードとして設定した動作内容を初期化する（Ｓ２１２）。すなわち、ドライブモードを解除し、動作内容を車載装置２００の接続前の状態に戻す。そして、通常の着信等を行うモードに移行し、再び車載装置２００からの接続要求を待ち受ける（Ｓ２０３に戻る）。
【０１３１】
一方、車載装置２００では、携帯端末１００から、動作実行通知を受信したか否かを判定する（Ｓ２６３）。車載装置２００では、携帯端末１００から、動作実行通知を受信していた場合（Ｓ２６３においてＹＥＳ）、携帯端末状態報知部２３２が、当該動作実行通知の内容を表示部２６０に表示する（Ｓ２６４；携帯端末状態報知ステップ）。表示部２６０に表示する画面は、例えば図１３に示す画面である。すなわち、携帯端末１００から、受信した動作実行通知に基づいて、携帯端末１００において発生したイベントのイベント種別と、当該イベント種別に対応する動作内容を表示させればよい。また、図１３に示すような画面表示に限られず、スピーカ２７０を介して音声によって上記の内容を通知するようにしてもよい。
【０１３２】
携帯端末１００から、動作実行通知を受信していなかった場合（Ｓ２６３においてＮＯ）には、Ｓ２６４の処理は省略される。
【０１３３】
そして、車載装置２００では、電源がＯＦＦになっているか否かを判定する（Ｓ２６５）。車載装置２００は、電源がＯＦＦになっていなければ（Ｓ２６５においてＮＯ）、Ｓ２５４からＳ２６４までの処理をさらに繰り返す。車載装置２００は、電源がＯＦＦになっていれば（Ｓ２６５においてＹＥＳ）、その後、車載装置２００における処理を終了させる。
【０１３４】
以上が、携帯端末制御システムにおける動作モード制御処理の流れについての説明である。
【０１３５】
[動作内容決定処理の詳細]
次に、動作モード制御処理における動作内容決定処理の詳細について、図１４に基づいて説明する。図１４は、携帯端末１００における動作内容決定処理の流れを示したフローチャートである。
【０１３６】
まず、状態判断部１３４が、車載装置２００からの状態データ通知に含まれる車両状態情報を解析し、車両状態を判定する（Ｓ６０；状態判断ステップ）。状態判断部１３４が、車両状態を判定する処理について詳しくは後述する。
【０１３７】
次に、状態判断部１３４は、車両状態を判定した結果、車両状態に変化があったか否かを判定する（Ｓ６１）。ここで、前回の判定結果と車両状態が変わらなければ（Ｓ６１においてＮＯ）、そのまま、動作内容を変更することなく動作内容決定処理を終了する。状態判断部１３４は、前回の判定結果から車両状態に変化があると判定した場合（Ｓ６１においてＹＥＳ）、車両状態を記憶部１１０の一時記憶領域（図示せず）に記憶する（Ｓ６２）。
【０１３８】
次に、モード制御部１３６が、車両状態と、事前に設定された動作内容テーブル１１２とに基づいて、電話網通信部１２０の制御を開始する。まず、モード制御部１３６は、車両状態に応じた電話着信時における動作の設定を行う（Ｓ６３）。モード制御部１３６が、車両状態に応じた電話着信時における動作の設定を行う処理について詳しくは後述する。続いて、モード制御部１３６は、メール着信時の動作の設定を行う（Ｓ６４）。そして、サービス通知受信時の動作の設定を行う（Ｓ６５）。その後、動作内容決定処理は終了する。
【０１３９】
[電話着信時動作設定処理の詳細]
次に、動作モード制御処理における電話着信時動作設定処理の詳細について、図１５に基づいて説明する。図１５は、携帯端末１００における電話着信時動作設定処理の流れを示したフローチャートである。
【０１４０】
まず、モード制御部１３６は、車両状態に基づいて、動作内容テーブル１１２に記憶されている動作内容を参照し、設定されている動作内容を取得する（Ｓ６３０）。そして、モード制御部１３６は、“着信拒否”が設定されているか否かを判定する（Ｓ６３１）。
【０１４１】
ここで、モード制御部１３６は、動作内容に“着信拒否”が設定されていなければ（Ｓ６３１においてＮＯ）、動作内容の設定を、車両状態を記憶部１１０の一時記憶領域に記憶し、動作内容を確定する（Ｓ６３９）。その後、電話着信時動作設定処理は終了する。
【０１４２】
また、モード制御部１３６は、動作内容に“着信拒否”が設定されていれば（Ｓ６３１においてＹＥＳ）、発呼者に応答するための音声メッセージを組み立てる。
【０１４３】
まず、モード制御部１３６は、拒否メッセージ定形文１を追加する（Ｓ６３２）。拒否メッセージ定形文１は、例えば、「現在電話に出ることができません」といった、ユーザが着信をできない状態にある旨を伝えるメッセージである。
【０１４４】
続いて、モード制御部１３６は、現在位置メッセージを追加する。モード制御部１３６は、現在位置メッセージを、車載装置２００からの現在位置の情報に基づいて組み立てる。現在位置メッセージは、現在のユーザの位置を示す例えば、「現在、大阪市阿倍野区長池町付近を走行中です」といったメッセージである。
【０１４５】
次に、モード制御部１３６は、車載装置２００から受信した状態データ通知に目的地到着予測時刻音声が含まれているか否かを判定する（Ｓ６３４）。モード制御部１３６は、目的地到着予測時刻音声が状態データ通知に含まれる場合（Ｓ６３４においてＹＥＳ）、目的地到着予測時刻音声を到着予想時刻メッセージとして追加する（Ｓ６３５）。すなわち、「１４時３０分」といった時刻を示す音声データが到着予想時刻メッセージになる。
【０１４６】
なお、目的地までの所要時間は、コンピュータにおいて取り扱い可能な時間データの形式であってもよい。
【０１４７】
続いて、モード制御部１３６は、拒否メッセージ定型文２を追加する（Ｓ６３６）。拒否メッセージ定型文２は、上記到着予想時刻メッセージに続くメッセージである。拒否メッセージ定型文２は、例えば、「以降におかけ直し下さい」というメッセージで構成される。すなわち、到着予想時刻メッセージに続いて拒否メッセージ定型文２を再生することで、「１４時３０分、以降におかけ直し下さい」というメッセージを発呼者に対して伝えることができる。
【０１４８】
なお、目的地到着予測時刻音声に変えて、「３時間」といった所要時間を示すメッセージを採用し、拒否メッセージ定型文２として「後におかけ直し下さい」というメッセージを採用し、所要時間を示すメッセージと拒否メッセージ定型文２とを通して「３時間後におかけ直し下さい」というメッセージを発呼者に対して伝えてもよい。すなわち、電話をかけ直すタイミングを、相対的な時刻として発呼者に対して伝えるようにしてもよい。
【０１４９】
また、ここで、モード制御部１３６は、目的地到着予測時刻音声が状態データ通知に含まれていない場合（Ｓ６３４においてＮＯ）は、拒否メッセージ定型文３を追加する（Ｓ６３７）。拒否メッセージ定型文３は、単純に「改めておかけ直し下さい」といったメッセージを通知するものである。
【０１５０】
次に、モード制御部１３６は、Ｓ６３６またはＳ６３７において作成した音声メッセージを記憶部１１０の一時記憶領域（図示せず）に記憶する（Ｓ６３８）。そして、モード制御部１３６は、動作内容“着信拒否”の設定を、車両状態を記憶部１１０の一時記憶領域に記憶し、動作内容を確定する（Ｓ６３９）。その後、電話着信時動作設定処理は終了する。
【０１５１】
なお、以上において、電話着信に対して設定されている動作内容が“着信拒否”の場合について説明したが、メール着信に対して動作内容が“着信拒否”という設定がされていた場合にも適用可能である。この場合、例えば、上記において作成する音声メッセージに替えてテキストベースのメッセージを作成し、当該メッセージをメールで返信するようにすることができる。
【０１５２】
[車両状態判定処理の詳細]
次に、動作モード制御処理における車両状態判定処理の詳細について、図１６に基づいて説明する。図１６は、携帯端末１００における車両状態判定処理の流れを示したフローチャートである。
【０１５３】
車両状態監視部１３２は、車載装置２００から、車両状態情報を受信すると、当該車両状態情報を解析する。そして、当該解析結果に基づいて、車両状態監視部１３２は、パーキングブレーキセンサ状態を判定する（Ｓ６００）。ここで、車両状態監視部１３２は、パーキングブレーキセンサ状態に変化なしと判定した場合（Ｓ６００において変化なし）は、次の処理に進む。車両状態監視部１３２は、パーキングブレーキセンサ状態に変化がありと判定した場合（Ｓ６００において変化あり）、さらにその変化の内容を判定する（Ｓ６０１）。車両状態監視部１３２は、パーキングブレーキセンサ状態の変化の内容が、「ＯＮ→ＯＦＦ」となる変化であった場合（Ｓ６０１においてＯＮ→ＯＦＦ）、車両状態が「静止中」に変化したと判断する（Ｓ６０２）。また、車両状態監視部１３２は、パーキングブレーキセンサ状態の変化の内容が、「ＯＦＦ→ＯＮ」となる変化であった場合（Ｓ６０１においてＯＦＦ→ＯＮ）、車両状態が「停車中」に変化したと判断する（Ｓ６０３）。このように、Ｓ６０２およびＳ６０３において変化の内容を判定した後、次の処理に進む。
【０１５４】
次に、車両状態監視部１３２は、車速センサ状態を判定する（Ｓ６０４）。ここで、車両状態監視部１３２は、車速センサ状態に変化なしと判定した場合（Ｓ６０４において変換なし）は、次の処理に進む。車両状態監視部１３２は、車速センサ状態に変化がありと判定した場合（Ｓ６０４において変化あり）、さらにその変化の内容を判定する（Ｓ６０５）。
【０１５５】
車両状態監視部１３２は、車速センサ状態が示す車速が８０ｋｍ／ｈ以上に変化したと判定した場合（Ｓ６０５において８０ｋｍ／ｈ以上）、車両状態が「高速走行中」に変化したと判断する（Ｓ６０６）。また、車両状態監視部１３２は、車速センサ状態が示す車速が１〜７９ｋｍ／ｈに変化したと判定した場合（Ｓ６０５において１〜７９ｋｍ／ｈ）、車両状態が「走行中」に変化したと判断する（Ｓ６０７）。また、車両状態監視部１３２は、車速センサ状態が示す車速が０ｋｍ／ｈに変化したと判定した場合（Ｓ６０５において０ｋｍ／ｈ）、車両状態が「静止中」に変化したと判断する（Ｓ６０８）。なお、車両状態監視部１３２は、車両が後退したと判定できたときは、この判定結果を無視してもよい。このように、Ｓ６０６〜Ｓ６０８において変化の内容を判定したあと、次の処理に進む。
【０１５６】
次に、車両状態監視部１３２は、バックギアセンサ状態を判定する（Ｓ６０９）。ここで、車両状態監視部１３２は、バックギアセンサ状態に変化なしと判定した場合（Ｓ６０９において変化なし）は、次の処理に進む。車両状態監視部１３２は、バックギアセンサ状態に変化がありと判定した場合（Ｓ６０９において変化あり）、さらにその変化の内容を判定する（Ｓ６１０）。
【０１５７】
車両状態監視部１３２は、バックギアセンサ状態の変化の内容が、「ＯＮ→ＯＦＦ」となる変化であった場合（Ｓ６１０においてＯＮ→ＯＦＦ）、車両状態が「静止中」に変化したと判断する（Ｓ６１１）。また、車両状態監視部１３２は、バックギアセンサ状態の変化の内容が、「ＯＦＦ→ＯＮ」となる変化であった場合（Ｓ６１０においてＯＦＦ→ＯＮ）、車両状態が「後退中」に変化したと判断する（Ｓ６１２）。このように、Ｓ６１１およびＳ６１２において変化の内容を判定したあと、次の処理に進む。
【０１５８】
以上のように、車両状態監視部１３２は、パーキングブレーキセンサ状態、車速センサ状態およびバックギアセンサ状態を判定して車両状態を判定する。その後、車両状態判定処理は終了する。
【０１５９】
なお、上記Ｓ６００およびＳ６０４の何れか一方において変化ありと判定された場合、変化の内容を判断した後、次のセンサ状態の判定をせずに車両状態判定処理を終了してもかまわない。
【０１６０】
[イベント別動作処理の詳細]
次に、動作モード制御処理におけるイベント別動作処理の詳細について、図１７に基づいて説明する。図１７は、携帯端末１００におけるイベント別動作処理の流れを示したフローチャートである。
【０１６１】
まず、状態判断部１３４は、携帯端末１００において電話着信イベントの有無を判定する（Ｓ９０）。すなわち、状態判断部１３４は、電話網通信部１２０が他の携帯端末からの通信を携帯電話網Ｔ経由で受信しているか否かを判定する。
【０１６２】
ここで、状態判断部１３４は、携帯端末１００において電話着信が無いと判定した場合（Ｓ９０においてＮＯ）、次の処理に進む。
【０１６３】
また、状態判断部１３４は、携帯端末１００において電話着信イベントがあると判定した場合（Ｓ９０においてＹＥＳ）、動作内容が“着信拒否”であるか否かをさらに判定する（Ｓ９１）。
【０１６４】
続いて、状態判断部１３４は、発信元を特定するアドレス情報を取得し、当該アドレス情報に基づいて、現在位置メッセージを通知することが許可されているアドレスのリストである許可アドレスリスト（記憶部１１０に記憶しておく。図示せず）と照合する。そして、状態判断部１３４は、当該アドレス情報が現在位置メッセージを通知する対象として許可されているか否かを判定する（Ｓ９２）。すなわち、状態判断部１３４は、電話着信イベントに対して動作内容が“着信拒否”と設定されていた場合、電話着信時動作設定において設定した応答用の音声メッセージを発信元に送信するが、状態判断部１３４がメッセージを送信する発信元をあらかじめ特定しておくことができる。これは、上記音声メッセージが、携帯端末１００のユーザの現在位置および目的地といった、いわゆる個人的な情報を含むからである。
【０１６５】
ここで、状態判断部１３４は、当該アドレス情報が、許可アドレスリストに含まれていない、すなわち許可されていないアドレスであると判定した場合（Ｓ９２においてＹＥＳ）、当該発信元に現在位置メッセージを通知することは不適切であると判断し、音声メッセージを差し替える（Ｓ９３）。差し替え音声メッセージは、例えば、「只今電話に出ることができません。改めておかけ直し下さい」といったものである。そして、モード制御部１３６が、動作内容テーブル１１２を参照し、動作内容として設定された動作を実行するよう電話網通信部１２０を制御する（Ｓ９４）。
【０１６６】
また、ここで、状態判断部１３４は、当該アドレス情報が、許可アドレスリストに含まれている場合、すなわち許可されているアドレスであると判定した場合（Ｓ９２においてＮＯ）、電話着信時動作設定において設定した音声メッセージを差し替えずにそのまま用いる。そして、モード制御部１３６が、動作内容テーブル１１２を参照し、動作内容として設定された動作を実行するよう電話網通信部１２０を制御する（Ｓ９４）
状態判断部１３４は、Ｓ９０〜Ｓ９４において、携帯端末１００における電話着信イベントの有無を判定した後、メール着信のイベントの有無を判定する（Ｓ９５）。ここで、状態判断部１３４は、携帯端末１００においてメール着信イベントが無いと判定した場合（Ｓ９５においてＮＯ）、次の処理に進む。状態判断部１３４が、メール着信イベントがあると判定した場合（Ｓ９５においてＹＥＳ）は、モード制御部１３６は、動作内容テーブル１１２を参照し、動作内容として設定された動作を実行するよう電話網通信部１２０を制御する（Ｓ９６）。
【０１６７】
状態判断部１３４は、Ｓ９５〜Ｓ９６において、携帯端末１００におけるメール着信イベントの有無を判定した後、サービス通知のイベントの有無を判定する（Ｓ９７）。ここで、状態判断部１３４は、携帯端末１００においてサービス通知イベントが無いと判定した場合（Ｓ９７においてＮＯ）、イベント別動作処理を終了する。状態判断部１３４が、サービス通知イベントがあると判定した場合（Ｓ９７においてＹＥＳ）は、モード制御部１３６は、動作内容テーブル１１２を参照し、動作内容として設定された動作を実行するよう電話網通信部１２０を制御する（Ｓ９８）。その後、イベント別動作処理を終了する。
【０１６８】
以上のように状態判断部１３４では、イベント別動作処理において、電話着信、メール着信およびサービス通知の各イベントの有無を判定する。
【０１６９】
〔変形例〕
次に携帯端末制御システム１の好ましい変形例について説明する。以上の実施形態では、携帯端末制御システム１を携帯端末１００、車載装置２００および車両状態センサ３００から構成していた。すなわち、携帯端末と、外部装置として車載装置とを用いた携帯端末制御システムについて説明した。しかしながら、これに限られず通信手段によって外部装置の状態を携帯端末に送信する一方で、動作内容を携帯端末から受信し、表示、音声、バイブレーション等による報知を行う外部装置との組合せによっても携帯端末制御システムを構成することができる。
【０１７０】
例えば、外部装置としては、テレビジョン受像機（以下、テレビと称する）を採用することができる。テレビと、携帯端末とで携帯端末制御システムを構成する場合、テレビの通電状況を受信し、スタンバイ状態と判断した場合は、動作内容に“通常着信”を設定し、画面表示状態であれば、動作内容に“着信拒否”を設定する。そして、動作内容をテレビに送信して表示させて、ユーザに提示することが可能である。
【０１７１】
また、外部装置として、調理器具、湯沸し器具等の温熱機器を用いることもできる。このような温熱機器と、携帯帯端末とで携帯端末制御システムを構成する場合、発熱状況を携帯電話で受信し、携帯電話において温熱機器の状態を判定する。すなわち、低温時と判断した場合には、動作内容に“通常着信”を設定し、点火(発熱)状態と判断した場合であれば、動作内容に“着信拒否”を設定する。そして、これらの動作内容をこれら器具に送信し、音声で使用者に知らせるなどの動作が可能である。
【０１７２】
また、外部装置として、身体に装着するタイプの心拍・血圧測定機能、歩数測定機能、加速度センサ付き運動補助機器（腕時計など）を用いることもできる。このような運動補助機器と、携帯帯端末とで携帯端末制御システムを構成する場合、運動補助機器が計測した心拍、血圧、単位時間当たりの歩数、あるいは運動量などの情報を携帯端末において受信して解析する。そして、解析の結果、心拍、血圧、単位時間当たりの歩数、あるいは運動量が一定以下であると判断した場合には、動作内容に“通常着信”を設定し、一定以上であると判断した場合は、動作内容に“着信拒否”を設定する。そして、これらの動作内容を運動補助機器に送信し、バイブレーションなどで携帯電話の動作をユーザに知らせることができる。
【０１７３】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１７４】
最後に、携帯端末制御システム１の携帯端末１００および車載装置２００の各ブロック、特に、携帯端末１００の車両状態監視部１３２、状態判断部１３４、モード制御部１３６、報知部１４０、および、車載装置２００の携帯端末状態報知部２３２、携帯端末管理部２３４、状態データ送信部２３６は、ハードウェアロジックによって構成してもよいし、次のようにＣＰＵを用いてソフトウェアによって実現してもよい。
【０１７５】
すなわち、携帯端末１００は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである携帯端末１００および車載装置２００の制御プログラムのプログラムコード（実行形式プログラム、中間コードプログラム、ソースプログラム）をコンピュータで読み取り可能に記録した記録媒体を、上記携帯端末１００および車載装置２００に供給し、そのコンピュータ（またはＣＰＵやＭＰＵ）が記録媒体に記録されているプログラムコードを読み出し実行することによっても、達成可能である。
【０１７６】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１７７】
また、携帯端末１００および車載装置２００を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１７８】
携帯端末の携帯電話網からの着信に対する動作を、近傍に位置する外部装置の状態に応じて携帯端末において制御することができるため、携帯端末と、ユーザの状態を捉えることのできる外部装置、例えば、カーナビゲーション装置や、身体に装着するタイプの心拍・血圧測定機能等のセンサを有する運動補助機器と組み合わせて携帯端末制御システムを構築できるため、多様な用途に適用できる。
【図面の簡単な説明】
【０１７９】
【図１】本発明の実施の形態を示すものであり、携帯端末制御システムの要部構成を示すブロック図である。
【図２】携帯端末の操作部の外観について示した説明図である。
【図３】携帯端末制御システムにおいて実行される動作モード制御処理の概略を例示するシーケンス図である。
【図４】携帯端末制御システムにおいて実行される動作モード制御処理の流れを示したフローチャートである。
【図５】携帯端末における動作モード設定画面の一例について示した説明図である。
【図６】動作内容テーブルに格納される情報の一例を示したデータテーブルである。
【図７】動作内容テーブルに設定することのできるイベント種別および動作内容について説明した説明図である。
【図８】接続要求に格納されている情報のデータレイアウトを示す説明図である。
【図９】状態データ通知に格納されている情報のデータレイアウトについて示した説明図である。
【図１０】動作内容通知に格納されている情報のデータレイアウトについて示した説明図である。
【図１１】車載装置において、携帯端末から受信した動作内容通知の内容を表示部に表示する場合における画面表示の一例を示す説明図である。
【図１２】動作実行通知に格納されている情報のデータレイアウトについて示した説明図である。
【図１３】車載装置において、携帯端末から受信した動作実行通知の内容を表示部に表示する場合における画面表示の一例を示す説明図である。
【図１４】携帯端末における動作内容決定処理の流れを示したフローチャートである。
【図１５】携帯端末における電話着信時動作設定処理の流れを示したフローチャートである。
【図１６】携帯端末における車両状態判定処理の流れを示したフローチャートである。
【図１７】携帯端末におけるイベント別動作処理の流れを示したフローチャートである。
【符号の説明】
【０１８０】
１    携帯端末制御システム
１００    携帯端末
１２０    電話網通信部（第二通信部）
１３２    車両状態監視部（状態監視手段）
１３４    状態判断部（状態判断手段）
１３６    モード制御部（動作制御手段）
１４０    報知部（第一報知手段、第二報知手段）
１５０    近距離通信部（第一通信部）
２００    車載装置（外部装置）
２２０    近距離通信部（第一通信部）
２３２    携帯端末状態報知部（携帯端末状態報知手段）
２３６    状態データ送信部（状態情報送信手段）
３００    車両状態センサ（センサ）
Ｔ    携帯電話網
【図１】
2010081419.tif 000003
【図２】
2010081419.tif 000004
【図３】
2010081419.tif 000005
【図４】
2010081419.tif 000006
【図５】
2010081419.tif 000007
【図６】
2010081419.tif 000008
【図７】
2010081419.tif 000009
【図８】
2010081419.tif 000010
【図９】
2010081419.tif 000011
【図１０】
2010081419.tif 000012
【図１１】
2010081419.tif 000013
【図１２】
2010081419.tif 000014
【図１３】
2010081419.tif 000015
【図１４】
2010081419.tif 000016
【図１５】
2010081419.tif 000017
【図１６】
2010081419.tif 000018
【図１７】
2010081419.tif 000019